(57)【要約】【課題】  ユーザや患者等の被検体にとって安全な内視鏡用光源装置を提供することを目的とする。【解決手段】  ランプ２が、光を供給する。集光レンズ３が、ランプ２から供給される光を集光する。フィルタターレット４が、ランプ２と集光レンズ３との間に配置される。フィルタターレット４は、ランプ２から供給される光の特性を変化させ、自在に着脱することのできるフィルタを保持する。フィルタターレット４上に光の特性を変化させるフィルタが保持されていない場合、遮光板５が、フィルタの装着される位置に保持され、ランプ２からの光の一部を透過させる。【選択図】      図１
2005334006.tif 000002
【特許請求の範囲】
【請求項１】
光を供給する光源部と、
前記光源部から供給される光を集光する集光レンズと、
前記光源部と前記集光レンズとの間に配置され、該光源部から供給される光の特性を変化させ、自在に着脱することのできるフィルタを保持するフィルタターレットと、
前記フィルタターレット上に光の特性を変化させる前記フィルタが保持されていない場合、該フィルタの装着される位置に保持され、前記光源部からの光の一部を透過させる遮光板と
を備えたことを特徴とする内視鏡用光源装置。
【請求項２】
前記光源部の代用として用いられる非常灯と
を更に備え、
前記遮光板は前記光源部から光を供給されると、フィルタを通さない場合の前記光源部からの光よりも弱く、前記非常灯からの光よりも強い透過光を出射させる
ことを特徴とする請求項１に記載の内視鏡用光源装置。
【請求項３】
前記遮光板は、前記光源部からの光の光路と交差する面上に１以上の穴を有する
ことを特徴とする請求項２に記載の内視鏡用光源装置。
【請求項４】
前記遮光板は、前記光源部からの光の光路と交差する面上に網状の構造を備える
ことを特徴とする請求項２に記載の内視鏡用光源装置。
【請求項５】
前記遮光板は、前記光源部からの光の光路と交差する面に関しＮＤフィルタで構成される
ことを特徴とする請求項２に記載の内視鏡用光源装置。
【発明の詳細な説明】
【技術分野】
【０００１】
本発明は、内視鏡に照明光を供給する内視鏡用光源装置に関する。
【背景技術】
【０００２】
近年、内視鏡を用いた被検体の観察において、白色光を用いた通常光観察以外の観察、すなわち白色光以外の光を利用した特殊光観察が盛んに行われるようになってきている。特殊観察に用いられる光は、光源ランプから出射された照明光を、フィルタを通してその特性を変換することによって得られる。
【０００３】
ユーザが自在に光源装置からフィルタを着脱することのできるよう、特殊光観察のためのオプションフィルタを、オプションフィルタターレットに設けた内視鏡用光源装置がある（例えば、特許文献１）。図３（ａ）は、従来技術に係る光源装置におけるオプションフィルタターレットの装着状態の横断面図である。光源から供給される照明光の特性を変換する色補正フィルタ５１、減光メッシュ５２、ユーザ自らが交換するフィルタ（以下、ユーザフィルタとする）５３等の複数の搭載物が搭載されているオプションフィルタターレット６６を有する光源装置において、ユーザフィルタ５３の有無を検出するターレット回転位置検出機構５４が設けられている。
【０００４】
図３（ｂ）は、従来技術に係る光源装置におけるオプションフィルタターレットの装着状態の側面図である。オプションフィルタターレット６６は、光源装置のランプベース６７に立設されたモータ取り付け板６８に固定されたステッピングモータ６９の回転軸７０に固定されている。ステッピングモータ６９の動力によって、回転軸７０を介してオプションフィルタターレット６６が回転駆動されるようになっている。
【０００５】
他の、従来技術に係る光源装置として、ユーザフィルタがオプションフィルタターレットに設けられていないときは、光源装置の外部に大光量の照明光が漏れ出し、内視鏡のライトガイドに大光量の照明光が照射することによる破損（ライトガイド焼け）を防止すべく、ユーザフィルタを装着するスペースに、遮光板等の遮光部材が取り付けられる機構を備えた光源装置がある。
【特許文献１】特開２００２−１５３４２２号公報
【発明の開示】
【発明が解決しようとする課題】
【０００６】
遮光板等が取り付けられた光源装置を使用して検査している途中に光源装置内のソフトウェアの異常動作等により、正常な位置以外の場所でオプションフィルタターレットが停止する可能性がある。このような状況において照明光の照射される位置に遮光板が配置されていた場合、ユーザフィルタの配置位置に取り付けられた遮光板によって照明光が完全に遮られ、被検体から内視鏡スコープを引き抜くことができなくなる。ユーザフィルタが設けられていない場合や光源装置内のある箇所について故障（単一故障）が発生した場合であっても、大量の照明光が光源装置の外部に出射されることなく、かつ、完全に遮光されない機構を備える内視鏡用光源装置が好ましい。
【０００７】
本発明は、内部の単一故障等においても、ユーザや被検体にとって安全な内視鏡用光源装置を提供することを目的とする。
【課題を解決するための手段】
【０００８】
本発明によれば、光を供給する光源部と、前記光源部から供給される光を集光する集光レンズと、前記光源部と前記集光レンズとの間に配置され、該光源部から供給される光の特性を変化させ、自在に着脱することのできるフィルタを保持するフィルタターレットと、前記フィルタターレット上に光の特性を変化させる前記フィルタが保持されていない場合、該フィルタの装着される位置に保持され、前記光源部からの光の一部を透過させる遮光板とを備えたことを特徴とする内視鏡用光源装置が提供される。
【０００９】
フィルタターレットにフィルタが保持されるべき箇所にフィルタが保持されていないとき、フィルタの代わりに遮光板が保持されている。遮光板は、光を完全に遮断せず、一部の光を透過させる。このため、想定外に遮光板に照明光が入射した場合であっても、照明光が完全に遮断されることがないので内視鏡を引き抜く等を取ることが可能であり、また、光量の大きい照明光が光源装置外に出射されることがないのでライトガイド焼けや被検体の熱傷等を防止する。
【００１０】
遮光板を透過する照明光の透過率は、光源部に異常が発生したときに代用される非常灯の明るさ以上で、且つ通常観察光の明るさ以下であることが好ましい。
遮光板は、例えば照明光の交差する面上に１以上の穴を開けることとしてもよい。金網メッシュ（減光メッシュ）にて構成されることとしてもよいし、ＮＤフィルタにて構成されることとしてもよい。
【発明の効果】
【００１１】
本発明によれば、光源装置内部の単一故障等が発生した場合であっても、光量の大きい照明光が外部に漏れることがないので、ユーザや被検体にとってより安全である。また、照明光が完全に遮断されないので、単一故障への処置が行える。
【発明を実施するための最良の形態】
【００１２】
以下、本発明の好適な実施の形態について、図面を参照しながら詳細に説明する。
図１は、本実施例に係る内視鏡システムの構成図である。内視鏡システム１０は、内視鏡２０、内視鏡２０に照明光を供給する内視鏡用光源装置１および内視鏡（スコープ）２０にて得られた画像データを処理するビデオシステムセンター３０から構成される。
【００１３】
内視鏡２０は、例えば体腔内の観察および処置を行うのに用いられる。内視鏡２０で得られた映像信号は、内視鏡２０とスコープケーブル２１を介して接続されたビデオシステムセンター３０に送られる。ビデオシステムセンター３０にて映像信号は処理され、内視鏡画像として出力される。
【００１４】
内視鏡用光源装置１は、内視鏡２０とスコープコネクタ１８を介して接続され、概ね、キセノンランプ等のランプ２、集光レンズ３、オプションフィルタターレット４、電源スイッチ１１、ランプ電源１２、ＤＣ電源１３、駆動回路１４、システムコントローラ１５、モータ１６および非常灯１７を含んで構成される。
【００１５】
ランプ２は、内視鏡２０に供給する照明光の光源である。集光レンズ３は、ランプ２から出射された光を集光する。オプションフィルタターレット４は、ランプ２と集光レンズ３との間に配置され、自然光以外の特殊観察等を行う際に用いられる。ランプ２から出射した照明光は、集光レンズ３を含む光学系を通じて外部に射出され、スコープコネクタ１８を介して接続された内視鏡２０の、不図示のライトガイドコネクタのライトガイドに入射する。
【００１６】
電源スイッチ１１は、ランプ２に電力を供給するランプ電源１２と、駆動回路１４やシステムコントローラ１５等に電力を供給する直流の電源であるＤＣ電源１３との間の、電力を供給する電源回路の切り替えを行う。駆動回路１４は、オプションフィルタターレット４を回転させるためのモータ１６や、ランプ２の故障等によりランプ２が点灯できなくなった場合に代わりに点灯させる非常灯１７を駆動する。システムコントローラ１５は、駆動回路１４の制御を行う。
【００１７】
オプションフィルタターレット４は回転円板にて形成され、ランプ２から出射される光の特性を変換する複数のフィルタ類を保持する。フィルタ類には、例えば、ランプ２からの出射光を内視鏡観察に最適な色に変換する色補正フィルタ、出射光の減光を行う減光メッシュ、出射光をユーザの所望の色や、蛍光観察、赤外光観察等の特殊光観察に適した光に変換するユーザフィルタ等がある。ユーザフィルタは、ユーザが交換を自在にでき、例えば、工場から光源装置１を出荷する際等においては、ユーザフィルタを取り付けず、ユーザフィルタの位置には、遮光板５が取り付けられる。フィルタ類は、オプションフィルタターレット４の周方向に沿って並設される。
【００１８】
図２は、オプションフィルタターレットと遮光板との位置関係を説明する図である。工場からの出荷等においては、特殊観察用のユーザフィルタをオプションフィルタターレット４から取り外し、ユーザフィルタの代わりに遮光板５をユーザフィルタの位置に取り付ける。遮光板５の、ランプ２から供給される照明光の光路と交差する面には、例えば１以上の穴が開けられている。
【００１９】
内視鏡システム１０の使用中、例えば光源装置１内部のある箇所について故障が発生した場合、光源装置１を制御するソフトウェアが想定外の動作をとることが考えられる。ユーザフィルタは使用しないとして、ユーザフィルタ取り付け位置に遮光板５が取り付けられているときに単一故障が発生し、オプションフィルタターレット４上に設けられた複数のフィルタ類のうち、遮光板５に照明光が照射される場合であっても、照明光の光路と交差する面上に穴が設けられていることにより、ランプ２から内視鏡２０に供給される照明光が完全には遮断されない。
【００２０】
遮光板５の、照明光の透過率は、例えば、非常灯１７の明るさ以上で、且つ通常観察において用いられる観察光の明るさ以下であることが好ましく、そのようになるよう、遮光板５に設けられる上記穴の数、形状、サイズ等が適宜選択される。非常灯１７の明るさ以上の光を透過させることで、光源装置１内の単一故障においても安全に内視鏡２０を引き抜く等の処置を行うことができる。通常観察光の明るさ以下の光を透過させることで、予期せぬ大光量の照明光が内視鏡２０に入射し、ライトガイド焼けや被検体の熱傷等の発生を未然に防ぐことができる。
【００２１】
上記実施例においては、遮光板５には光路と交差する面に１以上の穴が設けられていることとしたが、これに限られない。例えば、遮光板５が、金網メッシュ（減光メッシュ）で構成されていることとしてもよい。また、光の色を変化させることなく、光の強度を減少させる光学フィルタである、ＮＤフィルタ（透過率制御フィルタ）で構成されていることとしてもよい。金網メッシュあるいはＮＤフィルタで遮光板５を構成した場合も、金網メッシュのメッシュサイズや光学フィルタの光学特性等を、上記穴を設ける場合と同様に所望の透過率が得られるよう適宜選択することで、上記穴を設けた場合と同様の作用、効果が得られる。
【００２２】
以上説明したように、本実施例に係る内視鏡用光源装置によれば、特殊観察等においてユーザが交換可能なユーザフィルタが光源装置のオプションフィルタターレットに取り付けられていないとき、ユーザフィルタの位置に遮光板を取り付ける。遮光板から透過する照明光の明るさは、光源のランプの代わりに用いられる非常灯以上、かつ通常観察光以下である。これにより、光源装置内で単一故障等の発生によって、照明光が想定外に遮光板に入射したとしても、照明光が完全に遮られないため、内視鏡を引き抜く等の処置を取ることができる。通常観察光レベルの照明光が光源装置外に漏れないため、ライトガイド焼けや被検体の熱傷等を防止することもできる。
【図面の簡単な説明】
【００２３】
【図１】内視鏡システムの構造図である。
【図２】オプションフィルタターレットと遮光板との位置関係を説明する図である。
【図３】従来技術に係る光源装置におけるオプションフィルタターレットの装着状態を説明する図である。
【符号の説明】
【００２４】
１      内視鏡用光源装置
２      ランプ
３      集光レンズ
４      オプションフィルタターレット
５      遮光板
１０      内視鏡システム
２０      内視鏡
【図１】
2005334006.tif 000003
【図２】
2005334006.tif 000004
【図３】
2005334006.tif 000005